(57)【要約】【課題】剛性を維持しつつ、断熱性能を向上させること。【解決手段】断熱パネル１は、上下一対の横骨材６，７、及び左右一対の縦骨材を四周枠組みして構成された力骨２と、力骨２における一方の面を覆う第１面部３１、及び第１面部３１の縁部から力骨２側に突出する第１折曲片３２を有する第１表面材３と、力骨２における他方の面を覆う第２面部４１、及び第２面部４１の縁部から力骨２側に突出する第２折曲片４２を有する第２表面材４とを備える。横骨材６，７は、長尺状の板体で構成され、力骨２における他方の面側の端面が第２面部４１に対向し、力骨２の外側から第１，第２折曲片３２，４２がそれぞれ固定される基体６１と、基体６１から力骨２の内側に突出し、第１面部３１に対向する第１補強片６２とを備える。基体６１には、切欠部６６が設けられている。【選択図】図２
2018111985.tif 000002
【特許請求の範囲】
【請求項１】
上下一対の横骨材、及び左右一対の縦骨材を四周枠組みして構成された力骨と、
前記力骨における一方の面を覆う第１面部、及び前記第１面部の縁部から前記力骨側に突出する第１折曲片を有する第１表面材と、
前記力骨における他方の面を覆う第２面部、及び前記第２面部の縁部から前記力骨側に突出する第２折曲片を有する第２表面材とを備え、
前記上下一対の横骨材、及び前記左右一対の縦骨材の少なくともいずれかの骨材は、
長尺状の板体で構成され、前記他方の面側の少なくとも一部の端面が前記第２面部に対向し、前記力骨の外側から前記第１折曲片及び前記第２折曲片がそれぞれ固定される基体と、
前記基体から前記力骨の内側に突出し、前記第１面部に対向する第１補強片とを備え、
前記基体には、
切欠部が設けられている
ことを特徴とする断熱パネル。
【請求項２】
前記切欠部は、
前記第２折曲片に対向する位置に設けられた第１切欠部を含み、
前記第１切欠部の縁部には、
前記力骨の内側に突出し、前記第２面部に対向する第２補強片が設けられている
ことを特徴とする請求項１に記載の断熱パネル。
【請求項３】
前記切欠部は、
前記第１折曲片に対向する位置に設けられた第２切欠部を含み、
前記第１補強片は、
前記第２切欠部の縁部から前記力骨の内側に突出する
ことを特徴とする請求項１または２に記載の断熱パネル。
【請求項４】
前記切欠部は、
前記基体における長手方向の両端部を除く位置に設けられている
ことを特徴とする請求項１〜３のいずれか一つに記載の断熱パネル。
【請求項５】
前記横骨材及び前記縦骨材の一方の骨材には、
前記基体から前記力骨の内側に突出した固定片が設けられ、
前記固定片は、
前記横骨材及び前記縦骨材の他方の骨材における前記第１補強片に当接して前記一方の骨材と前記他方の骨材との相対的な位置を調整するとともに、前記力骨の内側から前記他方の骨材における前記基体に固定される
ことを特徴とする請求項１〜４のいずれか一つに記載の断熱パネル。
【発明の詳細な説明】
【技術分野】
【０００１】
本発明は、断熱ドア、あるいは、壁パネル、床パネル、天井パネル、及び屋根パネル等の内装パネルや外装パネルに用いられる断熱パネルに関する。
【背景技術】
【０００２】
従来、建物等の玄関において開閉自在に設置される断熱ドア等の断熱パネルが知られている（例えば、特許文献１参照）。
特許文献１に記載の断熱パネル（鋼製ドア）は、上下一対の横骨材、及び左右一対の縦骨材を四周枠組みして構成された力骨と、力骨の一方の面側及び他方の面側にそれぞれ設けられた第１，第２表面材とを備える。
第１，第２表面材は、力骨の一方の面及び他方の面をそれぞれ覆う面部（背面部）と、各面部の縁部から他方の表面材に向けて突出する突き合わせ片とをそれぞれ備える。
上下一対の横骨材、及び左右一対の縦骨材の各骨材は、長尺状の板体で構成された基体と、基体における力骨の一方の面側及び他方の面側の両端縁から力骨の内側にそれぞれ突出する突出片とをそれぞれ備え、断面Ｕ字形状をそれぞれ有する。
そして、第１，第２表面材の各面部を各骨材の各突出片に当接し、第１，第２表面材の各突き合わせ片を各骨材の基体に固定することで、第１，第２表面材と力骨とが組み立てられる。
【先行技術文献】
【特許文献】
【０００３】
【特許文献１】特開２００２−７０４３１号公報
【発明の概要】
【発明が解決しようとする課題】
【０００４】
しかしながら、特許文献１に記載の断熱パネルでは、力骨と第１，第２表面材との間で接触面積（面部及び突出片の接触面積と突き合わせ片及び基体の接触面積との全体の接触面積）が比較的に大きい構造となっている。このため、第１，第２表面材間で力骨を介して熱が伝導し易く、断熱性能を十分に確保することができない、という問題がある。
【０００５】
本発明は、上記実情に鑑みて、剛性を維持しつつ、断熱性能を向上させることができる断熱パネルを提供することを目的とする。
【課題を解決するための手段】
【０００６】
上記目的を達成するため、本発明に係る断熱パネルは、上下一対の横骨材、及び左右一対の縦骨材を四周枠組みして構成された力骨と、前記力骨における一方の面を覆う第１面部、及び前記第１面部の縁部から前記力骨側に突出する第１折曲片を有する第１表面材と、前記力骨における他方の面を覆う第２面部、及び前記第２面部の縁部から前記力骨側に突出する第２折曲片を有する第２表面材とを備え、前記上下一対の横骨材、及び前記左右一対の縦骨材の少なくともいずれかの骨材は、長尺状の板体で構成され、前記他方の面側の少なくとも一部の端面が前記第２面部に対向し、前記力骨の外側から前記第１折曲片及び前記第２折曲片がそれぞれ固定される基体と、前記基体から前記力骨の内側に突出し、前記第１面部に対向する第１補強片とを備え、前記基体には、切欠部が設けられていることを特徴とする。
【０００７】
ここで、本発明に係る切欠部は、基体の端部が切り欠かれた部位の他、基体の端部の一部が折り曲げられることで形成される空間や、基体に形成された孔を含むものである。
本発明では、上骨材、下骨材、及び左右一対の縦骨材の少なくともいずれかの骨材は、上述した基体及び第１補強片を備える。このため、第１補強片により基体の屈曲を抑制し、力骨の剛性、ひいては、断熱パネルの剛性を維持することができる。
また、基体は、力骨の他方の面側の少なくとも一部の端面が第２面部に対向するとともに、切欠部を有する。このため、力骨と第１，第２表面材との接触面積を低減することができる。すなわち、第１，第２表面材間で力骨を介して熱が伝導し難い構造となり、断熱性能を向上させることができる。
【０００８】
また、本発明は、上述した断熱パネルにおいて、前記切欠部は、前記第２折曲片に対向する位置に設けられた第１切欠部を含み、前記第１切欠部の縁部には、前記力骨の内側に突出し、前記第２面部に対向する第２補強片が設けられていることを特徴とする。
本発明では、切欠部は、第２折曲片に対向する位置に設けられた第１切欠部を含む。このため、力骨と第２表面材との接触面積を低減することができる。また、第１切欠部の縁部に設けられた上述した第２補強片により基体の屈曲をさらに抑制し、力骨の剛性、ひいては、断熱パネルの剛性を良好に維持することができる。また、第１切欠部の縁部に第２補強片を設けることで、当該第２補強片と第２面部との間に所定の隙間が設けられ、当該第２補強片と第２表面材との間で熱が伝導し難い構造となる。すなわち、断熱パネルの剛性を良好に維持するために第２補強片を設けたとしても、断熱性能を十分に確保することができる。
【０００９】
また、本発明は、上述した断熱パネルにおいて、前記切欠部は、前記第１折曲片に対向する位置に設けられた第２切欠部を含み、前記第１補強片は、前記第２切欠部の縁部から前記力骨の内側に突出することを特徴とする。
本発明では、切欠部は、第１折曲片に対向する位置に設けられた第２切欠部を含む。このため、力骨と第１表面材との接触面積を低減することができる。また、第２切欠部の縁部に第１補強片を設けることで、当該第１補強片と第１面部との間に所定の隙間が設けられ、当該第１補強片と第１表面材との間で熱が伝導し難い構造となり、断熱性能を十分に確保することができる。
【００１０】
また、本発明は、上述した断熱パネルにおいて、前記切欠部は、前記基体における長手方向の両端部を除く位置に設けられていることを特徴とする。
ところで、基体における長手方向の両端部は、断熱パネルのコーナー部に相当する部分である。そして、当該コーナー部には、他の部分よりも高い剛性を必要とする。
本発明によれば、切欠部が基体における長手方向の両端部を除く位置に設けられているため、当該両端部の剛性を良好に維持し、断熱パネルのコーナー部を他の部分よりも高い剛性とすることができる。
【００１１】
また、本発明は、上述した断熱パネルにおいて、前記横骨材及び前記縦骨材の一方の骨材には、前記基体から前記力骨の内側に突出した固定片が設けられ、前記固定片は、前記横骨材及び前記縦骨材の他方の骨材における前記第１補強片に当接して前記一方の骨材と当該他方の骨材との相対的な位置を調整するとともに、前記力骨の内側から前記他方の骨材における前記基体に固定されることを特徴とする。
本発明によれば、横骨材及び縦骨材の一方の骨材に上述した固定片が設けられているため、横骨材及び縦骨材を適切な位置関係に容易に設定し、当該横骨材及び縦骨材同士を容易に組み立てることができる。
【発明の効果】
【００１２】
本発明に係る断熱パネルによれば、剛性を維持しつつ、断熱性能を向上させることができる、という効果を奏する。
【図面の簡単な説明】
【００１３】
【図１】図１は、本実施の形態１に係る断熱ドアを室外側から見た正面図である。
【図２】図２は、断熱ドアの縦断面図である。
【図３】図３は、断熱ドアの横断面図である。
【図４Ａ】図４Ａは、上骨材を示す図である。
【図４Ｂ】図４Ｂは、上骨材を示す図である。
【図５】図５は、吊元縦骨材を外側から見た図である。
【図６Ａ】図６Ａは、本実施の形態２に係る上骨材を示す図である。
【図６Ｂ】図６Ｂは、本実施の形態２に係る上骨材を示す図である。
【図７Ａ】図７Ａは、本実施の形態２に係る吊元縦骨材を示す図である。
【図７Ｂ】図７Ｂは、本実施の形態２に係る吊元縦骨材を示す図である。
【図８Ａ】図８Ａは、本実施の形態３に係る吊元縦骨材を示す図である。
【図８Ｂ】図８Ｂは、本実施の形態３に係る吊元縦骨材を示す図である。
【図９Ａ】図９Ａは、本実施の形態３に係る戸先縦骨材を示す図である。
【図９Ｂ】図９Ｂは、本実施の形態３に係る戸先縦骨材を示す図である。
【図１０】図１０は、本実施の形態１の変形例１に係る骨材を示す斜視図である。
【図１１】図１１は、本実施の形態１の変形例２に係る骨材を示す斜視図である。
【図１２】図１２は、本実施の形態１の変形例３に係る骨材を示す斜視図である。
【図１３】図１３は、本実施の形態１の変形例４に係る骨材を示す斜視図である。
【発明を実施するための形態】
【００１４】
以下、本発明に係る断熱パネルとして断熱ドアを例示し、添付図面を参照しながら当該断熱ドアの好適な実施の形態について詳細に説明する。
【００１５】
（実施の形態１）
〔断熱ドアの概略構成〕
図１は、本実施の形態１に係る断熱ドア１を室外側から見た正面図である。図２は、断熱ドア１の縦断面図である。図３は、断熱ドア１の横断面図である。
なお、以下で記載する「見込み方向」は、図２の矢印Ａｒで示すように、断熱ドア１の厚み方向に沿った方向（建具の奥行きに沿った方向）である。見込み方向に沿った平面については、見込み面と称し、見込み方向に直交する平面については、見付け面と称する場合がある。
断熱ドア１は、建物における玄関の開口に取り付けられたドア枠体２００に対してヒンジ機構３００を介して開閉自在に取り付けられている。この断熱ドア１は、力骨２と、第１表面材３と、第２表面材４と、断熱材５とを備える。
【００１６】
力骨２は、断熱ドア１の上下両縁部をそれぞれ構成する上骨材６及び下骨材７と、断熱ドア１の戸先側の縁部を構成する戸先縦骨材８と、ヒンジ機構３００が取り付けられ、断熱ドア１の吊元側の縁部を構成する吊元縦骨材９とを四周枠組みすることで矩形枠状に構成されている。
なお、上骨材６及び下骨材７は、本発明に係る横骨材に相当する。また、戸先縦骨材８及び吊元縦骨材９は、本発明に係る縦骨材に相当する。
これら各骨材６〜９は、例えば、アルミニウムやスチール等の金属材料でそれぞれ構成されている。なお、各骨材６〜９の詳細については後述する。
【００１７】
第１表面材３は、断熱ドア１の室外面を構成する面材であり、力骨２の一方の面側に設けられている。この第１表面材３は、力骨２の一方の面を覆う矩形状の第１面部３１と、第１面部３１における４つの端縁から室内側に略直角に屈曲して延在した第１折曲片３２とを備える。
第２表面材４は、断熱ドア１の室内面を構成する面材であり、力骨２の他方の面側に設けられている。この第２表面材４は、力骨２の他方の面を覆う矩形状の第２面部４１と、第２面部４１における４つの端縁から室外側に略直角に屈曲して延在した第２折曲片４２とを備える。
これら第１，第２表面材３，４は、例えば、鋼板でそれぞれ構成されている。
【００１８】
断熱材５は、発泡ウレタン、ＥＰＳ（ビーズ法ポリスチレンフォーム）、あるいは、発泡ＡＳ樹脂等で構成され、力骨２及び第１，第２表面材３，４により構成される空間に設けられる。そして、断熱材５は、第１，第２面部３１，４１にそれぞれ接着される。
【００１９】
〔上骨材の構造〕
次に、上骨材６の構造について説明する。
なお、以下に記載する「内側」は、力骨２の内側であって、上骨材６では、「下方側」を意味する。また、以下に記載する「外側」は、力骨２の外側であって、上骨材６では、「上方側」を意味する。
図４Ａ及び図４Ｂは、上骨材６を示す図である。なお、図４Ａは、図２に示した上骨材６を外側から見た図である。図４Ｂは、図４Ａに示した上骨材６を戸先側（図４Ａ中、右側）から見た図である。
上骨材６は、長尺状で金属製の平板に対して除去加工（切断加工や切削加工）及び曲げ加工等が施された部材である。以下では、説明の便宜上、曲げ加工を施す前の平板を平板６０（図４Ａで示した実線及び仮想線を含む部材）と記載する。
この上骨材６は、基体６１と、室外側補強片６２と、室内側補強片６３と、固定片６４とを備える。
【００２０】
基体６１は、左右方向に沿って延在する延在部６１１と、延在部６１１の戸先側（図４Ａ中、右側）の端部に接続する戸先側端部６１２と、延在部６１１の吊元側（図４Ａ中、左側）の端部に接続する吊元側端部６１３とを有する平板である。そして、基体６１は、各板面が内側及び外側にそれぞれ向く姿勢で配設される。
戸先側端部６１２は、延在部６１１よりも室内側に張り出し、その幅寸法（見込み方向に沿う長さ寸法）が延在部６１１の幅寸法よりも大きい。また、吊元側端部６１３も同様に、延在部６１１よりも室内側に張り出し、その幅寸法が戸先側端部６１２の幅寸法と同一に設定されている。すなわち、基体６１は、平面視Ｕ字形状を有する。
室外側補強片６２は、平板６０における室外側の端部を内側に向けて略直角に折り曲げた部分であり、基体６１から内側に突出する。すなわち、室外側補強片６２は、本発明に係る第１補強片に相当する。そして、室外側補強片６２は、各板面が室外側及び室内側にそれぞれ向く姿勢で配設される。
室内側補強片６３は、平板６０の室内側の端部において、戸先側端部６１２の吊元側、及び吊元側端部６１３の戸先側にそれぞれ設けられた各切り込み部６０１の間の部分を内側に向けて略直角に折り曲げた部分であり、基体６１から内側に突出する。すなわち、室内側補強片６３は、本発明に係る第２補強片に相当する。そして、室内側補強片６３は、各板面が室外側及び室内側にそれぞれ向く姿勢で配設される。ここで、室内側補強片６３における基体６１からの突出寸法は、室外側補強片６２の突出寸法と略同一の寸法に設定されている。また、各切り込み部６０１及び室内側補強片６３で囲まれる平面視Ｕ字状の部位は、本発明に係る第１切欠部６６に相当する。
【００２１】
固定片６４は、平板６０における長手方向の両端部を内側に向けて略直角に折り曲げた部分であり、上骨材６と戸先縦骨材８及び吊元縦骨材９との間の相対的な位置調整及び固定に用いられる。ここで、固定片６４は、戸先側から見た場合に、室外側補強片６２と室内側補強片６３との間に位置する。そして、固定片６４の幅寸法（見込み方向に沿う寸法）は、室外側補強片６２及び室内側補強片６３の離間寸法と略同一に設定されている。また、固定片６４における基体６１からの突出寸法は、室外側補強片６２及び室内側補強片６３の突出寸法よりも大きく設定されている。
【００２２】
そして、第１，第２表面材３，４を上骨材６にそれぞれ取り付けた状態（第１，第２折曲片３２，４２を外側から基体６１にネジ等の締結具によりそれぞれ固定した状態）では、室外側補強片６２は、第１面部３１に対して所定の隙間（以下、第１の隙間と記載）を空けて対向する。当該第１の隙間には、上骨材６の全長に亘って延在する断熱部品Ｔｉが配設される。また、戸先側端部６１２及び吊元側端部６１３における室内側の端面は、第２面部４１に対向する。さらに、室内側補強片６３は、第２面部４１に対して第１の隙間よりも大きな第２の隙間を空けて対向する。また、第１切欠部６６は、第２折曲片４２に対向する。
なお、下骨材７は、上骨材６と上下対称となる構造を有している（図２）。このため、下骨材７において上骨材６と同様の構成には同一の符号を付し、当該下骨材７の構造については説明を省略する。
【００２３】
〔吊元縦骨材の構造〕
次に、吊元縦骨材９の構造について説明する。
なお、以下に記載する「内側」は、力骨２の内側であって、吊元縦骨材９では、「戸先側（図３中、右側）」を意味する。また、以下に記載する「外側」は、力骨２の外側であって、吊元縦骨材９では、「吊元側（図３中、左側）」を意味する。
図５は、吊元縦骨材９を外側から見た図である。
吊元縦骨材９は、上骨材６と同様に、長尺状で金属製の平板９０（図５Ａで示した実線及び仮想線を含む部材）に対して除去加工及び曲げ加工等が施された部材である。そして、吊元縦骨材９は、上骨材６に対して固定片６４が省略されているとともに長手方向の寸法が異なる。すなわち、吊元縦骨材９は、上骨材６における基体６１（延在部６１１、戸先側端部６１２、及び吊元側端部６１３を含む）、室外側補強片６２、室内側補強片６３（切り込み部６０１を含む）、及び第１切欠部６６とそれぞれ同様の基体９１（延在部９１１、上端部９１２、及び下端部９１３を含む）、室外側補強片９２、室内側補強片９３（切り込み部９０１を含む）、及び第１切欠部９６を備える。なお、室外側補強片９２は、本発明に係る第１補強片に相当する。また、室内側補強片９３は、本発明に係る第２補強片に相当する。
【００２４】
そして、第１，第２表面材３，４を吊元縦骨材９にそれぞれ取り付けた状態（第１，第２折曲片３２，４２を外側から基体９１にネジ等の締結具によりそれぞれ固定した状態）では、室外側補強片９２は、第１面部３１に対して第１の隙間を空けて対向する。当該第１の隙間には、吊元縦骨材９の全長に亘って延在する断熱部品Ｔｉが配設される。また、上端部９１２及び下端部９１３における室内側の端面は、第２面部４１に対向する。さらに、室内側補強片９３は、第２面部４１に対して第２の隙間を空けて対向する。また、第１切欠部９６は、第２折曲片４２に対向する。
なお、戸先縦骨材８は、吊元縦骨材９と左右対称となる構造を有している（図３）。このため、戸先縦骨材８において吊元縦骨材９と同様の構成には同一の符号を付し、当該戸先縦骨材８の構造については説明を省略する。
【００２５】
ここで、固定片６４における幅寸法（見込み方向に沿う寸法）は、室外側補強片９２及び室内側補強片９３の離間寸法と略同一の寸法を有する。そして、固定片を室外側補強片９２及び室内側補強片９３の間に挿通して（固定片６４における見込み方向の両側の端面を室外側補強片９２及び室内側補強片９３に当接して）上骨材６と吊元縦骨材９との間の相対的な位置を調整する。また、この状態で、固定片６４に形成された固定用孔６４０及び基体９１に形成された固定用孔９１０を介してネジ等の締結具により固定片６４を基体９１に固定する。これにより、上骨材６と吊元縦骨材９とが組み立てられる。なお、上骨材６と戸先縦骨材８との組み立て、下骨材７と戸先縦骨材８及び吊元縦骨材９との組み立ても同様である。
【００２６】
以上説明した本実施の形態１によれば、以下の効果を奏する。
本実施の形態１に係る断熱ドア１では、各骨材６〜９は、基体６１，９１及び室外側補強片６２，９２をそれぞれ備える。このため、室外側補強片６２，９２により基体６１，９１の屈曲を抑制し、力骨２の剛性、ひいては、断熱ドア１の剛性を維持することができる。また、基体６１，９１は、両端部６１２，６１３，９１２，９１３における室内側の端面が第２面部４１に対向するとともに、第１切欠部６６，９６を有する。このため、力骨２と第１，第２表面材３，４との接触面積を低減することができる。すなわち、第１，第２表面材３，４間で力骨２を介して熱が伝導し難い構造となり、断熱性能を向上させることができる。
【００２７】
また、本実施の形態１に係る断熱ドア１では、第１，第２表面材３，４を力骨２に取り付けた状態で、第１切欠部６６，９６は、第２折曲片４２に対向する。このため、力骨２と第２表面材４との接触面積を低減することができる。また、第１切欠部６６，９６の縁部に設けられた室内側補強片６３，９３により基体６１，９１の屈曲をさらに抑制し、力骨２の剛性、ひいては、断熱ドア１の剛性を良好に維持することができる。また、第１切欠部６６，９６の縁部に室内側補強片６３，９３を設けることで、室内側補強片６３，９３と第２面部４１との間に第２の隙間が設けられ、室内側補強片６３，９３と第２表面材４との間で熱が伝導し難い構造となる。すなわち、断熱ドア１の剛性を良好に維持するために室内側補強片６３，９３を設けても、断熱性能を十分に確保することができる。
【００２８】
また、本実施の形態１に係る断熱ドア１では、第１切欠部６６，９６は、基体６１，９１における両端部６１２，６１３，９１２，９１３を除く位置に設けられている。このため、当該両端部６１２，６１３，９１２，９１３の剛性を良好に維持し、断熱ドア１のコーナー部を他の部分よりも高い剛性とすることができる。
【００２９】
また、本実施の形態１に係る断熱ドア１では、上骨材６及び下骨材７には、固定片６４が設けられている。このため、上骨材６及び下骨材７と戸先縦骨材８及び吊元縦骨材９とを適切な位置関係に容易に設定し、上骨材６及び下骨材７と戸先縦骨材８及び吊元縦骨材９とを容易に組み立てることができる。
【００３０】
（実施の形態２）
次に、本発明の実施の形態２について説明する。
以下の説明では、実施の形態１と同様の構成には同一符号を付し、その詳細な説明は省略または簡略化する。
本実施の形態２に係る断熱ドア１Ａでは、上述した実施の形態１で説明した断熱ドア１に対して、力骨２とは異なる力骨２Ａを採用している点が異なるのみである。
以下、本実施の形態２に係る力骨２Ａを構成する上骨材６Ａ及び吊元縦骨材９Ａの構造を順に説明する。
【００３１】
〔上骨材の構造〕
図６Ａ及び図６Ｂは、本実施の形態２に係る上骨材６Ａを示す図である。なお、図６Ａは、図４Ａに対応し、上骨材６Ａを外側から見た図である。図６Ｂは、図４Ｂに対応し、上骨材６Ｂを戸先側から見た図である。
本実施の形態２に係る上骨材６Ａは、上述した実施の形態１で説明した上骨材６と同様に、長尺状で金属製の平板６０Ａ（図６Ａで示した実線及び仮想線を含む部材）に対して除去加工及び曲げ加工等が施された部材であり、本発明に係る横骨材に相当する。
この上骨材６Ａは、基体６１Ａと、室外側補強片６２Ａと、室内側補強片６３と、固定片６４Ａとを備える。
【００３２】
基体６１Ａは、左右方向に沿って延在する延在部６１１Ａと、延在部６１１Ａの戸先側の端部に接続する戸先側端部６１２Ａと、延在部６１１Ａの吊元側の端部に接続する吊元側端部６１３Ａとを有する。
戸先側端部６１２Ａは、延在部６１１Ａよりも室内側及び室外側にそれぞれ張り出し、その幅寸法が延在部６１１Ａの幅寸法よりも大きい。また、吊元側端部６１３Ａも同様に、延在部６１１Ａよりも室内側及び室外側にそれぞれ張り出し、その幅寸法が戸先側端部６１２Ａの幅寸法と同一に設定されている。すなわち、基体６１Ａは、平面視Ｈ字形状を有する。
室外側補強片６２Ａは、平板６０Ａの室外側の端部において、戸先側端部６１２Ａの吊元側、及び吊元側端部６１３Ａの戸先側にそれぞれ設けられた各切り込み部６０２の間の部分を内側に向けて略直角に折り曲げた部分であり、基体６１Ａから内側に突出する。すなわち、室外側補強片６２Ａは、本発明に係る第２補強片に相当する。ここで、室外側補強片６２Ａは、室内側補強片６３と略同一の外形形状を有し、見込み方向に沿って見た場合に、当該室内側補強片６３に重なり合う。また、各切り込み部６０２及び室外側補強片６２Ａで囲まれる平面視Ｕ字状の部位は、本発明に係る第２切欠部６７に相当する。
固定片６４Ａは、上述した実施の形態１で説明した固定片６４と同一の形状及び機能を有し、戸先側から見て、室外側補強片６２Ａと室内側補強片６３との間に位置する。
【００３３】
そして、第１，第２表面材３，４を上骨材６Ａにそれぞれ取り付けた状態（第１，第２折曲片３２，４２を外側から基体６１Ａにネジ等の締結具によりそれぞれ固定した状態）では、具体的な図示は省略したが、戸先側端部６１２Ａ及び吊元側端部６１３Ａにおける室外側の端面は、第１面部３１に対向する。また、室外側補強片６２Ａは、第１面部３１に対して第２の隙間を空けて対向する。さらに、第２切欠部６７は、第１折曲片３２に対向する。また、戸先側端部６１２Ａ及び吊元側端部６１３Ａにおける室内側の端面は、第２面部４１に対向する。さらに、室内側補強片６３は、第２面部４１に対して第２の隙間を空けて対向する。また、第１切欠部６６は、第２折曲片４２に対向する。
なお、下骨材（図示略）は、上骨材６Ａと上下対称となる構造を有している。このため、当該下骨材（図示略）の詳細な説明については省略する。
【００３４】
〔吊元縦骨材の構造〕
図７Ａ及び図７Ｂは、本実施の形態２に係る吊元縦骨材９Ａを示す図である。なお、図７Ａは、図５Ａに対応し、吊元縦骨材９Ａを外側から見た図である。図７Ｂは、図５Ｂに対応し、吊元縦骨材９Ａを上方側から見た図である。
本実施の形態２に係る吊元縦骨材９Ａは、上骨材６Ａと同様に、長尺状で金属製の平板９０Ａ（図７Ａで示した実線及び仮想線を含む部材）に対して除去加工及び曲げ加工等が施された部材であり、本発明に係る縦骨材に相当する。そして、吊元縦骨材９Ａは、上骨材６Ａに対して固定片６４Ａが省略されているとともに長手方向の寸法が異なる。すなわち、吊元縦骨材９Ａは、上骨材６Ａにおける基体６１Ａ（延在部６１１Ａ、戸先側端部６１２Ａ、及び吊元側端部６１３Ａを含む）、室外側補強片６２Ａ（切り込み部６０２を含む）、室内側補強片６３（切り込み部６０１を含む）、及び第１，第２切欠部６６，６７とそれぞれ同様の基体９１Ａ（延在部９１１Ａ、上端部９１２Ａ、及び下端部９１３Ａを含む）、室外側補強片９２Ａ（切り込み部９０２を含む）、室内側補強片９３（切り込み部９０１を含む）、及び第１，第２切欠部９６，９７を備える。なお、室外側補強片９２Ａは、本発明に係る第１補強片に相当する。
【００３５】
そして、第１，第２表面材３，４を吊元縦骨材９Ａにそれぞれ取り付けた状態（第１，第２折曲片３２，４２を外側から基体９１Ａにネジ等の締結具によりそれぞれ固定した状態）では、具体的な図示は省略したが、上端部９１２Ａ及び下端部９１３Ａにおける室外側の端面は、第１面部３１に対向する。また、室外側補強片９２Ａは、第１面部３１に対して第２の隙間を空けて対向する。さらに、第２切欠部９７は、第１折曲片３２に対向する。また、上端部９１２Ａ及び下端部９１３Ａにおける室内側の端面は、第２面部４１に対向する。さらに、室内側補強片９３は、第２面部４１に対して第２の隙間を空けて対向する。また、第１切欠部９６は、第２折曲片４２に対向する。
なお、戸先縦骨材（図示略）は、吊元縦骨材９Ａと左右対称となる構造を有している。このため、当該戸先縦骨材の詳細な説明について省略する。
また、上骨材６Ａと吊元縦骨材９Ａ及び戸先縦骨材（図示略）との組み立てや、下骨材(図示略)と吊元縦骨材９Ａ及び戸先縦骨材（図示略）との組み立ては、上述した実施の形態１と同様に、各固定片６４Ａ（固定用孔６４０，９１０）を利用して行われる。
【００３６】
以上説明した本実施の形態２によれば、上述した実施の形態１と同様の効果の他、以下の効果を奏する。
本実施の形態２に係る断熱ドア１Ａでは、基体６１Ａ，９１Ａには、第１，第２表面材３，４を力骨２Ａにそれぞれ取り付けた状態で、第１折曲片３２に対向する第２切欠部６７，９７が設けられている。このため、力骨２Ａと第１表面材３との接触面積を低減することができる。また、第２切欠部６７，９７の縁部に室外側補強片６２Ａ，９２Ａを設けることで、室外側補強片８２Ａ，９２Ａと第１面部３１との間に第２の隙間が設けられ、室外側補強片６２Ａ，９２Ａと第１表面材３との間で熱が伝導し難い構造となり、断熱性能を十分に確保することができる。
また、本実施の形態１に係る断熱ドア１Ａでは、第２切欠部６７，９７は、基体６１Ａ，９１Ａにおける両端部６１２Ａ，６１３Ａ，９１２Ａ，９１３Ａを除く位置に設けられている。このため、当該両端部６１２Ａ，６１３Ａ，９１２Ａ，９１３Ａの剛性を良好に維持し、断熱ドア１Ａのコーナー部を他の部分よりも高い剛性とすることができる。
【００３７】
（実施の形態３）
次に、本発明の実施の形態３について説明する。
以下の説明では、実施の形態２と同様の構成には同一符号を付し、その詳細な説明は省略または簡略化する。
本実施の形態３に係る断熱ドア１Ｂでは、上述した実施の形態２で説明した断熱ドア１Ａに対して、吊元縦骨材９Ａ及び戸先縦骨材（図示略）とは異なる吊元縦骨材９Ｂ及び戸先縦骨材８Ｂを採用している点が異なるのみである。
以下、本実施の形態３に係る力骨２Ｂを構成する吊元縦骨材９Ｂ及び戸先縦骨材８Ｂの構造を順に説明する。
【００３８】
〔吊元縦骨材の構造〕
図８Ａ及び図８Ｂは、本実施の形態３に係る吊元縦骨材９Ｂを示す図である。なお、図８Ａは、図７Ａに対応し、吊元縦骨材９Ｂを外側から見た図である。図８Ｂは、図７Ｂに対応し、吊元縦骨材９Ｂを上方側から見た図である。
本実施の形態３に係る吊元縦骨材９Ｂは、上述した実施の形態２で説明した吊元縦骨材９Ａと同様に、長尺状で金属製の平板９０Ｂ（図８Ａで示した実線及び仮想線を含む部材）に対して除去加工及び曲げ加工等が施された部材であり、本発明に係る縦骨材に相当する。
この吊元縦骨材９Ｂは、基体９１Ｂと、第１，第２室外側補強片９２Ｂ１，９２Ｂ２と、第１〜第４室内側補強片９３Ｂ１〜９３Ｂ４とを備える。
【００３９】
基体９１Ｂは、上述した実施の形態２で説明した基体９１Ａに対して、ヒンジ機構３００がそれぞれ取り付けられる部分となる第１〜第３中間部９１４〜９１６を有する点が異なる。
第１中間部９１４は、延在部９１１Ａにおける長手方向の中央よりも上端部９１２Ａ側に位置し、当該延在部９１１Ａの幅寸法を室内側に大きくした部分である。第２中間部９１５は、延在部９１１Ａにおける長手方向の中央よりも下端部９１３Ａ側に位置し、当該延在部９１１Ａの幅寸法を室内側に大きくした部分である。第３中間部９１６は、延在部９１１Ａにおける長手方向の中央よりも第１中間部９１４側に位置し、当該延在部９１１Ａの幅寸法を室内側及び室外側にそれぞれ大きくした部分である。
そして、第３中間部９１６における室外側の端面は、上端部９１２Ａ及び下端部９１３Ａにおける室外側の端面と略面一となる。また、第１〜第３中間部９１４〜９１６における室内側の端面は、上端部９１２Ａ及び下端部９１３Ａにおける室内側の端面と略面一となる。
【００４０】
第１室外側補強片９２Ｂ１は、平板９０Ｂの室外側の端部において、上端部９１２Ａの下端側、及び第３中間部９１６の上端側にそれぞれ設けられた各切り込み部９０３の間の部分を内側に向けて略直角に折り曲げた部分であり、基体９１Ｂから内側に突出する。
第２室外側補強片９２Ｂ２は、平板９０Ｂの室外側の端部において、第３中間部９１６の下端側、及び下端部９１３Ａの上端側にそれぞれ設けられた各切り込み部９０４の間の部分を内側に向けて略直角に折り曲げた部分であり、基体９１Ｂから内側に突出する。ここで、第２室外側補強片９２Ｂ２における基体９１Ｂからの突出寸法は、第１室外側補強片９２Ｂ１の突出寸法と略同一の寸法に設定されている。また、第２室外側補強片９２Ｂ２における見込み方向に沿う位置は、第１室外側補強片９２Ｂ１と同一の位置に設定されている。
そして、第１，第２室外側補強片９２Ｂ１，９２Ｂ２は、本発明に係る第１補強片にそれぞれ相当する。また、各切り込み部９０３及び第１室外側補強片９２Ｂ１で囲まれる平面視Ｕ字状の部位と、各切り込み部９０４及び第２室外側補強片９２Ｂ２で囲まれる平面視Ｕ字状の部位は、本発明に係る第２切欠部９７Ｂにそれぞれ相当する。
【００４１】
第１室内側補強片９３Ｂ１は、平板９０Ｂの室内側の端部において、上端部９１２Ａの下端側、及び第１中間部９１４の上端側にそれぞれ設けられた各切り込み部９０５の間の部分を内側に向けて略直角に折り曲げた部分であり、基体９１Ｂから内側に突出する。
第２室内側補強片９３Ｂ２は、平板９０Ｂの室内側の端部において、第１中間部９１４の下端側、及び第３中間部９１６の上端側にそれぞれ設けられた各切り込み部９０６の間の部分を内側に向けて略直角に折り曲げた部分であり、基体９１Ｂから内側に突出する。
第３室内側補強片９３Ｂ３は、平板９０Ｂの室内側の端部において、第３中間部９１６の下端側、及び第２中間部９１５の上端側にそれぞれ設けられた各切り込み部９０７の間の部分を内側に向けて略直角に折り曲げた部分であり、基体９１Ｂから内側に突出する。  第４室内側補強片９３Ｂ４は、平板９０Ｂの室内側の端部において、第２中間部９１５の下端側、及び下端部９１３Ａの上端側にそれぞれ設けられた各切り込み部９０８の間の部分を内側に向けて略直角に折り曲げた部分であり、基体９１Ｂから内側に突出する。
【００４２】
そして、第１〜第４室内側補強片９３Ｂ１〜９３Ｂ４は、本発明に係る第２補強片にそれぞれ相当する。また、各切り込み部９０５及び第１室内側補強片９３Ｂ１で囲まれる平面視Ｕ字状の部位と、各切り込み部９０６及び第２室内側補強片９３Ｂ２で囲まれる平面視Ｕ字状の部位と、各切り込み部９０７及び第３室内側補強片９３Ｂ３で囲まれる平面視Ｕ字状の部位と、各切り込み部９０８及び第４室内側補強片９３Ｂ４で囲まれる平面視Ｕ字状の部位とは、本発明に係る第１切欠部９６Ｂにそれぞれ相当する。
また、第１〜第４室内側補強片９３Ｂ１〜９３Ｂ４における基体９１Ｂからの突出寸法は、第１，第２室外側補強片９２Ｂ１，９２Ｂ２の突出寸法と略同一の寸法に設定されている。さらに、第１〜第４室内側補強片９３Ｂ１〜９３Ｂ４における見込み方向に沿う位置は、同一の位置に設定されている。
【００４３】
そして、第１，第２表面材３，４を吊元縦骨材９Ｂにそれぞれ取り付けた状態（第１，第２折曲片３２，４２を外側から基体９１Ｂにネジ等の締結具によりそれぞれ固定した状態）では、具体的な図示は省略したが、上端部９１２Ａ、第３中間部９１６、及び下端部９１３Ａにおける室外側の端面は、第１面部３１に対向する。また、第１，第２室外側補強片９２Ｂ１，９２Ｂ２は、第１面部３１に対して第２の隙間を空けて対向する。さらに、第２切欠部９７Ｂは、第１折曲片３２に対向する。また、上端部９１２Ａ、第１〜第３中間部９１４〜９１６、及び下端部９１３Ａにおける室内側の端面は、第２面部４１に対向する。さらに、第１〜第４室内側補強片９３Ｂ１〜９３Ｂ４は、第２面部４１に対して第２の隙間を空けて対向する。また、第１切欠部９６Ｂは、第２折曲片４２に対向する。
なお、上骨材６Ａ及び下骨材（図示略）と吊元縦骨材９Ｂとの組み立ては、上述した実施の形態２と同様に、各固定片６４Ａ（固定用孔６４０，９１０）を利用して行われる。
【００４４】
〔戸先縦骨材の構造〕
次に、戸先縦骨材８Ｂの構造について説明する。
なお、以下に記載する「内側」は、力骨２Ｂの内側であって、戸先縦骨材８Ｂでは、「吊元側」を意味する。また、以下に記載する「外側」は、力骨２Ｂの外側であって、戸先縦骨材８Ｂでは、「戸先側」を意味する。
図９Ａ及び図９Ｂは、本実施の形態３に係る戸先縦骨材８Ｂを示す図である。なお、図９Ａは、戸先縦骨材８Ｂを外側から見た図である。図９Ｂは、戸先縦骨材８Ｂを上方側から見た図である。
本実施の形態３に係る戸先縦骨材８Ｂは、吊元縦骨材９Ｂと同様に、長尺状で金属製の平板８０（図９Ａで示した実線及び仮想線を含む部材）に対して除去加工（切断加工や切削加工）及び曲げ加工等が施された部材であり、本発明に係る縦骨材に相当する。
この戸先縦骨材８Ｂは、基体８１と、第１，第２室外側補強片８２１，８２２と、第１，第２室内側補強片８３１，８３２とを備える。
【００４５】
基体８１は、吊元縦骨材９Ｂにおける延在部９１１Ａ、上端部９１２Ａ、及び下端部９１３Ａとそれぞれ同様の延在部８１１、上端部８１２、及び下端部８１３を備える。また、延在部８１１における長手方向の中央よりも下端部８１３側には、当該延在部８１１の幅寸法を室内側及び室外側にそれぞれ大きくした第１中間部８１４が設けられている。
そして、第１中間部８１４における室外側の端面は、上端部８１２及び下端部８１３における室外側の端面と略面一となる。また、第１中間部８１４における室内側の端面は、上端部８１２及び下端部８１３における室内側の端面と略面一となる。
この第１中間部８１４には、表裏を貫通し、デッドボルト（図示略）及びラッチボルト（図示略）を戸先からそれぞれ突没させるための開口部８１５が形成されている。
【００４６】
第１室外側補強片８２１は、平板８０の室外側の端部において、上端部８１２の下端側、及び第１中間部８１４の上端側にそれぞれ設けられた各切り込み部８０１の間の部分を内側に向けて略直角に折り曲げた部分であり、基体８１から内側に突出する。
第２室外側補強片８２２は、平板８０の室外側の端部において、第１中間部８１４の下端側、及び下端部８１３の上端側にそれぞれ設けられた各切り込み部８０２の間の部分を内側に向けて略直角に折り曲げた部分であり、基体８１から内側に突出する。ここで、第２室外側補強片８２２における基体８１からの突出寸法は、第１室外側補強片８２１の突出寸法と略同一の寸法に設定されている。
そして、第１，第２室外側補強片８２１，８２２は、本発明に係る第１補強片にそれぞれ相当する。また、各切り込み部８０１及び第１室外側補強片８２１で囲まれる平面視Ｕ字状の部位と、各切り込み部８０２及び第２室外側補強片８２２で囲まれる平面視Ｕ字状の部位とは、本発明に係る第２切欠部８７にそれぞれ相当する。
【００４７】
第１室内側補強片８３１は、平板８０の室内側の端部において、上端部８１２の下端側、及び第１中間部９１４の上端側にそれぞれ設けられた各切り込み部８０３の間の部分を内側に向けて略直角に折り曲げた部分であり、基体８１から内側に突出する。ここで、第１室内側補強片８３１は、第１室外側補強片８２１と略同一の外形形状を有し、見込み方向に沿って見た場合に、当該第１室外側補強片８２１に重なり合う。
第２室内側補強片８３２は、平板８０の室内側の端部において、第１中間部９１４の下端側、及び下端部８１３の上端側にそれぞれ設けられた各切り込み部８０４の間の部分を内側に向けて略直角に折り曲げた部分であり、基体８１から内側に突出する。ここで、第２室内側補強片８３２は、第２室外側補強片８２２と略同一の外形形状を有し、見込み方向に沿って見た場合に、当該第２室外側補強片８２２に重なり合う。
そして、第１，第２室内側補強片８３１，８３２は、本発明に係る第２補強片にそれぞれ相当する。また、各切り込み部８０３及び第１室内側補強片８３１で囲まれる平面視Ｕ字状の部位と、各切り込み部８０４及び第２室内側補強片８３２で囲まれる平面視Ｕ字状の部位とは、本発明に係る第１切欠部８６にそれぞれ相当する。
【００４８】
そして、第１，第２表面材３，４を戸先縦骨材８Ｂにそれぞれ取り付けた状態（第１，第２折曲片３２，４２を外側から基体８１にネジ等の締結具によりそれぞれ固定した状態）では、具体的な図示は省略したが、上端部８１２，第１中間部８１４、及び下端部８１３における室外側の端面は、第１面部３１に対向する。また、第１，第２室外側補強片８２１，８２２は、第１面部３１に対して第２の隙間を空けて対向する。さらに、第２切欠部８７は、第１折曲片３２に対向する。また、上端部８１２、第１中間部８１４、及び下端部８１３における室内側の端面は、第２面部４１に対向する。さらに、第１，第２室内側補強片８３１，８３２は、第２面部４１に対して第２の隙間を空けて対向する。また、第１切欠部８６は、第２折曲片４２に対向する。
なお、上骨材６Ａ及び下骨材（図示略）と戸先縦骨材８Ｂとの組み立ては、上骨材６Ａ及び下骨材（図示略）と吊元縦骨材９Ｂとの組み立てと同様に、各固定片６４Ａ（固定用孔６４０及び基体８１に設けられた固定用孔８１０）を利用して行われる。
【００４９】
以上説明した本実施の形態３のような吊元縦骨材９Ｂ及び戸先縦骨材８Ｂを採用した場合であっても、上述した実施の形態２と同様の効果を奏する。
【００５０】
（その他の実施の形態）
ここまで、本発明を実施するための形態を説明してきたが、本発明は上述した実施の形態１〜３によってのみ限定されるべきものではない。
上述した実施の形態１〜３では、本発明に係る断熱パネルとして建物における玄関の開口に設置される断熱ドア１を例示したが、これに限らない。本発明に係る断熱パネルとして、玄関以外の他の場所に設置される断熱ドア、あるいは、壁パネル、床パネル、天井パネル、及び屋根パネル等の内装パネルや外装パネル等を採用しても構わない。
上述した実施の形態１〜３では、本発明に係る固定片６４，６４Ａは、横骨材に設けられていたが、これに限らず、縦骨材に設けても構わない。
上述した実施の形態１〜３において、本発明に係る切欠部、第１補強片、及び第２補強片の数は、上述した実施の形態１〜３で説明した数に限らず、その他の数だけ設けても構わない。
上述した実施の形態１〜３において、各骨材６〜９，６Ａ，８Ｂ，９Ａ，９Ｂにおける室外側と室内側の構成を逆に設定しても構わない。すなわち、室外側補強片６２，６２Ａ，９２，９２Ａを室内側に設け、室内側補強片６３，９３を室外側に設けても構わない。
【００５１】
図１０ないし図１３は、本実施の形態１の変形例１〜４に係る骨材をそれぞれ示す斜視図である。
上述した実施の形態１において、各骨材６〜９の代わりに図１０ないし図１３に示した骨材１０〜１３を採用しても構わない。
図１０に示した変形例１に係る骨材１０は、上述した実施の形態１で説明した各骨材６〜９における基体６１，９１及び室外側補強片６２，９２とそれぞれ同様の基体１０１及び室外側補強片１０２を備える。すなわち、骨材１０は、室内側補強片６３，９３が省略されている。なお、室外側補強片１０２は、本発明に係る第１補強片に相当する。
また、基体１０１における室内側の端部には、当該基体１０１の長手方向の両端部１０１Ａ，１０１Ｂを除く位置に、２つの切欠部１０１Ｃが形成されている。これら２つの切欠部１０１Ｃは、第１，第２折曲片３２，４２を外側から基体１０１にネジ等の締結具によりそれぞれ固定した状態で、第２折曲片４２に対向する。すなわち、２つの切欠部１０１Ｃは、本発明に係る第１切欠部にそれぞれ相当する。
【００５２】
図１１に示した変形例２に係る骨材１１は、上述した変形例１に係る骨材１０に対して、室外側補強片１０２に対向するように、２つの室内側補強片１０３を有する。これら２つの室内側補強片１０３は、２つの切欠部１０１Ｃの縁部から内側に突出するように設けられている。すなわち、２つの室内側補強片１０３は、本発明に係る第２補強片にそれぞれ相当する。
図１２に示した変形例３に係る骨材１２は、上述した変形例２に係る骨材１１に対して、室外側補強片１０２の表裏を貫通する複数の開口部１０２Ａを有する。これら複数の開口部１０２Ａは、本発明の切欠部にそれぞれ相当する。
図１３に示した変形例４に係る骨材１３は、上述した変形例３に係る骨材１２に対して、２つの室内側補強片１０３を省略している。
【００５３】
以上説明したように、本発明に係る「切欠部」は、例えば、形成される対象が金属製の平板である場合には、（Ａ）除去加工（切断加工や切削加工）及び曲げ加工により当該平板の端部の一部が折り曲げられることにより形成される空間（第１切欠部６６，８６，９６，９６Ｂ、第２切欠部６７，８７，９７，９７Ｂ、切欠部１０１Ｃ（図１１，図１２）、（Ｂ）除去加工（切断加工や切削加工）により当該平板の端部が切り欠かれた部位（切欠部１０１Ｃ（図１０，図１３））、及び（Ｃ）除去加工（切断加工や切削加工）により当該平板に形成された孔（開口部１０２Ａ）を含むものである。
【符号の説明】
【００５４】
１，１Ａ，１Ｂ  断熱ドア、２，２Ａ，２Ｂ  力骨、３  第１表面材、４  第２表面材、６，６Ａ  上骨材（横骨材）、７  下骨材（横骨材）、８，８Ｂ  戸先縦骨材（縦骨材）、９，９Ａ，９Ｂ  吊元縦骨材（縦骨材）、３１  第１面部、３２  第１折曲片、４１  第２面部、４２  第２折曲片、６１，６１Ａ，８１，９１，９１Ａ，９１Ｂ  基体、６２，６２Ａ，９２，９２Ａ  室外側補強片（第１補強片）、６３，９３  室内側補強片（第２補強片）、６４，６４Ａ  固定片、６６，８６，９６，９６Ｂ  第１切欠部、６７，８７，９７，９７Ｂ  第２切欠部、９２Ｂ１，９２Ｂ２  第１，第２室外側補強片（第１補強片）、９３Ｂ１〜９３Ｂ４  第１〜第４室内側補強片（第２補強片）、６１２，６１２Ａ  戸先側端部（両端部）、６１３，６１３Ａ  吊元側端部（両端部）、８１２，９１２，９１２Ａ  上端部（両端部）、８１３，９１３，９１３Ａ  下端部（両端部）、８２１，８２２  第１，第２室外側補強片（第１補強片）、８３１，８３２  第１，第２室内側補強片
【図１】
2018111985.tif 000003
【図２】
2018111985.tif 000004
【図３】
2018111985.tif 000005
【図４Ａ】
2018111985.tif 000006
【図４Ｂ】
2018111985.tif 000007
【図５】
2018111985.tif 000008
【図６Ａ】
2018111985.tif 000009
【図６Ｂ】
2018111985.tif 000010
【図７Ａ】
2018111985.tif 000011
【図７Ｂ】
2018111985.tif 000012
【図８Ａ】
2018111985.tif 000013
【図８Ｂ】
2018111985.tif 000014
【図９Ａ】
2018111985.tif 000015
【図９Ｂ】
2018111985.tif 000016
【図１０】
2018111985.tif 000017
【図１１】
2018111985.tif 000018
【図１２】
2018111985.tif 000019
【図１３】
2018111985.tif 000020